(57)【要約】【課題】武具、又は護身用具として使用される実技用三節棍、ヌンチャク、万力鎖、縄ひょう、又は棒状手裏剣等は硬質の材料で形成されている。したがって、それらを使用するには高度の技術を要し、特に初心者の訓練、競技等においては危険が伴うことから相応の防具が必要である。【解決手段】本発明は、実技用三節棍、ヌンチャク、万力鎖、縄ひょう、又は棒状手裏剣等をソフト体に模擬化し、防具を必要としない訓練用として、若しくは、スポーツ競技用として、ソフト三節棍、ソフトヌンチャク、ソフト万力鎖、ソフト縄ひょう、並びにソフト棒状手裏剣を提供するものである。【選択図】      図１
2004202181.tif 000002
【特許請求の範囲】
【請求項１】
硬質中空体が挿入合体されて二重中空体に形成された弾性中空体を、袋体で覆設して構成されたソフト棍（こん）、並びに前記ソフト棍を複数個連設して繋着する繋着索とで構成されてなることを特徴とするソフト多節棍。
【請求項２】
請求項１記載のソフト棍において、弾性中空体が軸心に中空部を有する１材で形成され、袋体で覆設して構成されてなることを特徴とする請求項１記載のソフト棍並びにソフト多節棍。
【請求項３】
請求項１記載のソフト棍において、弾性中空体が硬質中空体を軸心として、繊維網で渦巻き状に巻き込んで形成され、袋体で覆設して構成されてなることを特徴とする請求項１記載のソフト棍並びにソフト多節棍。
【請求項４】
請求項１記載のソフト棍おいて、弾性中空体が繊維網で軸心部に中空部を有して渦巻き状に巻き込んで形成され、袋体で覆設して構成されてなることを特徴とする請求項１記載のソフト棍並びにソフト多節棍。
【発明の詳細な説明】
【０００１】
【発明の属する技術分野】
本発明は、武具、又は護身用具として使用される三節棍（さんせつこん）、ヌンチャク、万力鎖（まんりきさ）、縄ひょう（じょうひょう）、棒状手裏剣、等の訓練用、若しくはスポーツ競技用として使用されるソフト棍、及びソフト多節棍に関するものである。
【０００２】
【従来の技術】
従来、太刀及び棒等を摸擬化して、ソフト太刀及びソフト棒等に形成され、防具を必要としない用具として、スポーツチャンバラ等に使用されている。これらに関する
【特許】、
【実用新案】の公報文献には次のものがある。
【０００３】
【特許文献１】「ソフト太刀及びソフト棒（特許番号第２７２４９１８号）」
この技術によると、図９に示すように、硬質材料で作られたグリップ体５２と、このグリップ体５２の先端に開口部を密着させて取り付けた伸縮性のある材料で作られた機密性のある袋状の刀身部５１とにより構成されてなるソフト太刀が示されている。また、図１０に示すように、木製である長い柄５４とソフト太刀５３との構成であり、実技用槍をソフトに模擬化したものとして用いられ、また、図１１に示すように、木製の短い柄５６とその両端にソフト太刀５５とで構成され、実技用回転棒をソフト体に摸擬化したものとして使用されている。
【実用新案文献１】「中空膨張体」（実開平０２−１４９２９６）
【実用新案文献２】「ソフト太刀」（実開平０３−５４６７３）
【実用新案文献３】「鍔を鳴らす空気袋剣の突き具」（実開昭−１３６７７５）
【実用新案文献４】「チャンバラ玩具」（実開昭６１−１３６７９５９）
等の公報文献では、実技用太刀、又は槍が前述のスポーツチャンバラ用として使用されるソフト太刀、ソフト槍とに模擬化されたものと同じく、いずれも刀身部とグリップ体を有してなるソフト太刀、又はソフト棒等に模擬化されたものである。
【０００３】
【発明が解決しようとする課題】
実技用三節棍、ヌンチャク、万力鎖、縄ひょう、及び棒状手裏剣等は、古来、武具又は護身用具として伝達され、今日に至っている。いずれも硬質の材料で形成された棍と、繋着索とで構成されている。したがって、それらを使用するには高度の技術を要し、初心者の訓練、競技等においては危険が伴うことから相応の防具が必要である。
そこで、本発明は、実技用武具の三節棍、ヌンチャク、万力鎖、縄ひょう、又は棒状手裏剣等をソフト体に模擬化し、防具を必要としない訓練用、又はスポーツ競技用として提供することを課題とするものである。
【０００４】
【課題を解決するための手段】
上記の目的を達成するために、本発明のソフト棍、並びにソフト多節棍（ソフト三節棍、ソフトヌンチャク、ソフト万力鎖、ソフト縄ひょう、ソフト手裏剣）を、それぞれの形状寸法に形成して、防具を必要としない訓練用、又はスポーツ競技用のソフト武具とするものである。
【０００６】
【発明の実施の形態】
以下、図１から図８の概略図に基づき実施の形態について説明する。
図１は、ソフト棍の縦断面図、中央断面図、及びソフト多節棍の全体概略図である。
図２、図３及び図４は、ソフト棍の中央断面図である。
【０００７】請求項１記載の実施の形態においては、ソフト棍ａ１、ａ２、ａ３が、弾性外筒管（例えばエチレンプロピレンゴム製、スポンジゴム製等）１に、硬質中空管（例えばエチレンプロピレンゴム製、塩ビ管等）２を挿入合体して形成された弾性中空体（二重中空体）を、袋体（例えばレザー製、ビニール製等）７で覆設して構成されたものである。
【０００８】また、このソフト多節棍Ａは、ソフト棍ａ１の軸心中空部に繋着索（例えば麻糸、綿糸、ビニール製紐、鋼索、又は鎖等）８を挿通し、前記硬質中空管２の両端部に留め板３、４を挟着して、繋留部（前記繋着索５、６を結び止め、若しくは留め具を使用）５、６を介してソフト棍ａ１が固定され、さらに、その繋留部６側の繋着索８を所用の長さだけ残して、ソフト棍ａ２の軸心中空部に長く残した前記繋着索８を挿通して、前記ソフト棍ａ１の固定と同要領でソフト棍ａ２が連設して繋着され、さらに、ソフト棍２ａの繋着索８を所用の長さだけ残して、ソフト棍ａ３の軸心中空部に挿通して、前記ソフト棍ａ１の固定と同要領でソフト棍ａ３が連設して繋着されたものである。なお、前記留め板３、４は、繋着索８の繋留部５、６が硬質中空管２から抜脱の恐れがない場合は省略してもよい。
【０００９】請求項２記載の実施の形態においては、図２に示すように、ソフト棍ａ４が、軸心に中空部を有する一材で形成された弾性中空体（例えばエチレンプロピレンゴム製、スポンジゴム製等）９を、袋体（例えばレザー製、若しくはビニール製）１０で覆設して構成されてなることを特徴とするものである。また、これを使用したソフト多節棍は、繋着索１１を介して、前述した請求項１記載の実施の形態と同一要領で形成される。
【００１０】請求項３記載の実施の形態においては、図３に示すように、ソフト棍ａ５が、硬質中空体１３を軸心として、繊維網で渦巻き状に巻き込んで形成された弾性中空体（例えば金網、又は合成樹脂網）１２に、袋体（例えば布製、若しくはビニール製）１４で覆設して構成されてなることを特徴とするものである。また、これを使用したソフト多節棍は、繋着索１５を介して、前述した請求項１記載の実施の形態と同一要領で形成される。
【００１１】請求項４記載の実施の形態においては、図４に示すように、ソフト棍ａ６が、軸心部に中空を有して、渦巻き状に巻き込んで形成された繊維網弾性中空体（例えば金網、又は合成樹脂網）１６を、袋体（例えば布製、若しくはビニール製）１７で覆設して構成されてなることを特徴とするものである。また、これを使用したソフト多節棍は、繋着索１８を介して、前述した請求項１記載の実施の形態と同一要領で形成される。
【００１２】上述のように構成されたソフト多節棍の実施例１は、図１に示すように、３本のソフト棍ａ１、ａ２、ａ３と、繋着索８とで構成され、実技用三節棍を摸擬化した形状寸法によりソフト三節棍Ａが形成される。
【００１３】また、実施例２は、図５に示すように、２本のソフト棍ｂ１、ｂ２と、繋着索２０とで構成され、実技用ヌンチャクを摸擬化した形状寸法によりソフトヌンチャクＢが形成される。
【００１４】また、実施例３は、図６に示すように、２本のソフト棍ｃ１、ｃ２と、繋着索２１とで構成され、前記ソフト棍ｃ１、ｃ２の袋体の端部２２、２３を彩色（例えば朱色等）又は朱色の袋体で覆設して形成され、実技用万力鎖を摸擬化した形状寸法によりソフト万力鎖Ｃが形成される。
【００１５】また、実施例４は、図７に示すように、１本のソフト棍ｄ１と、繋着索２４とで構成され、前記ソフト棍ｄ１の端部２５を彩色（例えば朱色等）又は朱色の袋体で覆設して形成され、実技用縄ひょうを摸擬化した形状寸法によりソフト縄ひょうＤが形成される。
【００１６】また、実施例５は、図８に示すように、１本のソフト棍ｅ１のみで、袋の約半端部２６を彩色（例えば朱色等）又は朱色の袋体で覆設して、剣先部と握り手部とを区分し、実技用棒状手裏剣を摸擬化した形状寸法によりソフト棒状手裏剣Ｅが形成される。
【００１７】
【発明の効果】
実技用三節棍、ヌンチャク、万力鎖、縄ひょう、又は棒状手裏剣の形状寸法にそれぞれ相応して模擬化されたソフト三節棍、ソフトヌンチャク、ソフト万力鎖、ソフト縄ひょう、又はソフト棒状手裏剣として形成されているため、実技感をもって訓練でき、また、ソフトに形成されていることから、防具を必要としない訓練用、若しくはスポーツ競技用として、特に初心者向けに好都合である。また、ソフト万力鎖のソフト棍端部を彩色したことにより、急速回転状態の確認が容易であり、また、ソフト縄ひょうのソフト棍端部を彩色したことにより、投てき的への到着点の視覚確認が容易である。また、投てきされた実技用棒状手裏剣が的に突き刺さった状態においては、剣先より握り手端部が水平になる直前のやや上がり気味での姿勢が最も好ましいとされ、ソフト棒状手裏剣の半端部を彩色することにより、瞬間的に剣先部が刺った状態の視覚確認が容易である。
【図面の簡単な説明】
図１は、本発明における実施例１のソフト三節棍を示す全体構成図である。
図２、図３、及び図４は、ソフト棍の中央断面図である。
図５は、本発明における実施例２のソフトヌンチャクを示す全体構成図である。
図６は、本発明における実施例３のソフト万力鎖を示す全体構成図である。
図７は、本発明における実施例４のソフト縄ひょうの全体構成図である。
図８は、本発明における実施例５のソフト棒状手裏剣の全体構成図である。
図９は、従来例のソフト太刀の概念図である。
図１０は、従来例のソフト槍の概念図である。
図１１は、従来例のソフト棒の概念図である。
【符号の説明】
Ａ  ソフト三節棍
ａ１、ａ２、ａ３、ｂ１、ｂ２、ｃ１、ｃ２、ｄ１、ｅ１  ソフト棍
Ｂ  ソフトヌンチャク
Ｃ  ソフト万力鎖
Ｄ  ソフト縄ひょう
Ｅ  ソフト棒状手裏剣
１  弾性外筒管
２、１３  硬質中空管
３、４  留め板
５、６  繋留部
７、１０、１３、１４、１７  袋体
８、１１、１５、１８  繋着索
２２、２３、２５、２６  彩色部
５１  刀身部
５２  グリップ体
５３、５５  ソフト太刀
５４  長い柄
５６  短い柄
【図１】
2004202181.tif 000003
【図２】
2004202181.tif 000004
【図３】
2004202181.tif 000005
【図４】
2004202181.tif 000006
【図５】
2004202181.tif 000007
【図６】
2004202181.tif 000008
【図７】
2004202181.tif 000009
【図８】
2004202181.tif 000010
【図９】
2004202181.tif 000011
【図１０】
2004202181.tif 000012
【図１１】
2004202181.tif 000013